(57)【要約】【課題】ロック部の簡素化及び小型化を図りつつ、ロックが不用意に外れにくいレバー式コネクタを提供する。【解決手段】一対のコネクタハウジング２１，３１の一方のコネクタハウジング２１にレバー４０を回動自在能に設け、このレバー４０の回動操作により両コネクタハウジング２１，３１を嵌合又は離脱させるレバー式コネクタ１０において、一方のコネクタハウジング２１に可撓性のロックアーム２６を設け、ロックアーム２６の自由端２６ｃ側に、レバー４０の係止突起４７の後端部４９に後端２７ｄ側が引っ掛かるように係止される係止部２７と、レバー４０の係止突起４７の後端部４９と係止部２７の後端２７ｄ側との係止状態を解除する解除操作部２８とを設け、係止部２７と解除操作部２８を隣接して配置し、ロックアーム２６の係止部２７とレバー４０の係止突起４７の係止時にレバー４０の下方にロックアーム２６の解除操作部２８を位置させた。【選択図】図３
2016110735.tif 000002
【特許請求の範囲】
【請求項１】
一対のコネクタハウジングの一方のコネクタハウジングにレバーを回動自在能に設け、このレバーの回動操作により前記一対のコネクタハウジングを嵌合又は離脱させるレバー式コネクタにおいて、
前記一方のコネクタハウジングにコネクタ嵌合方向に延びる可撓性のロックアームを設け、このロックアームの自由端側に、前記レバーの係止突起の後端部に後端側が引っ掛かるように係止される係止部と、該レバーの係止突起の後端部と該係止部の後端側との係止状態を解除する解除操作部とを設け、これら係止部と解除操作部とを隣接して配置し、前記ロックアームの係止部と前記レバーの係止突起の係止時に該レバーの下方に該ロックアームの解除操作部を位置させたことを特徴とするレバー式コネクタ。
【請求項２】
請求項１記載のレバー式コネクタであって、
前記係止部の後端側に、係止する方向に作用するように傾斜した係止斜面を形成し、かつ、前記係止突起の後端部に、係止する方向に作用するように傾斜した係止斜面を形成したことを特徴とするレバー式コネクタ。
【請求項３】
請求項１記載のレバー式コネクタであって、
前記ロックアームの固定端側に正面コ字状の連結ブリッジを設け、この正面コ字状の連結ブリッジの中央連結部の下面より前記ロックアームを側面Ｌ字状でかつ平面コ字状に延設し、この平面コ字状のロックアームの自由端側の中央に前記係止部を設けると共に、該係止部の両側に隣接させて前記解除操作部をそれぞれ設けたことを特徴とするレバー式コネクタ。
【発明の詳細な説明】
【技術分野】
【０００１】
本発明は、レバーの回動操作によって低挿入力で相手コネクタを嵌合又は離脱させるレバー式コネクタに関する。
【背景技術】
【０００２】
この種のテコの原理を利用したレバーにより、低挿入力で相手コネクタを嵌合又は離脱させるレバー式コネクタとして、図８〜図１０に示す特開２０１２−５９５９８公報に開示されたものがある（例えば、特許文献１の図１〜図８等参照）。
【０００３】
このレバー式コネクタ１は、図８〜図１０に示すように、複数の雄型端子（図示省略）を収容した雄型コネクタ２と、複数の雌型端子（図示省略）を収容した雌型コネクタ５と、雄型コネクタ２の支軸３に回動自在に支持された断面が略楕円で筒状のレバー７と、を備えている。
【０００４】
そして、雌型コネクタ５のカムピン６にレバー７のカム溝孔８を係合させて、レバー７に対して雄型コネクタ２及び雌型コネクタ５を図８及び図１０（ａ）に矢印ａで示す方向に回動させると、図９及び図１０（ｂ）に示すように、テコの原理により低挿入力で雄型コネクタ２のフード部２ａ内に雌型コネクタ５が嵌合される。この嵌合状態は、雄型コネクタ２のフード部２ａの上部においてコネクタ嵌合方向に延びる可撓性のロックアーム４の自由端側に設けられた係止部４ａの後端の垂直後面４ｂに、レバー７の上部前側に設けられた係止突起９の前端部９ａの垂直前面９ｂが係止されることによりロックされる。
【０００５】
また、両コネクタ２，５の嵌合状態を解除（離脱）するには、ロックアーム４の自由端側の係止部４ａの両側に設けられた解除操作部４ｃを下方に押圧操作することで、ロックアーム４の係止部４ａとレバー７の係止突起９のロック状態を解除し、その後、レバー７に対して雄型コネクタ２及び雌型コネクタ５を図８及び図１０（ａ）で示す矢印ａと逆の方向に回動させると、低挿入力で雄型コネクタ２のフード部２ａ内から雌型コネクタ５が離脱される。
【先行技術文献】
【特許文献】
【０００６】
【特許文献１】特開２０１２−５９５９８号公報
【特許文献２】特開２００８−１４６８４７号公報
【発明の概要】
【発明が解決しようとする課題】
【０００７】
しかしながら、前記従来のレバー式コネクタ１では、ロックアーム４の係止部４ａとレバー７の係止突起９のロック部の構造が、図１０（ｂ）に示すように、ロックアーム４の係止部４ａの後端の垂直後面４ｂに、レバー７の係止突起９の前端部９ａの垂直前面９ｂが係止される構造であるため、雌型コネクタ５に複数の雌型端子に接続された電線の引っ張り力（図１０（ｂ）に矢印ｂで示す離脱方向の力）が加わった際に、ロックが外れ易かった。また、図９及び図１０（ｂ）に示すように、ロックアーム４の係止部４ａの両側に設けられた解除操作部４ｃが筒状のレバー７の上部の切欠き部７ａから外側に露出しているため、解除操作部４ｃが不用意に操作されてロックが解除されるおそれがあった。
【０００８】
そこで、本発明は、前記した課題を解決すべくなされたものであり、ロック部の簡素化及び小型化を図りつつ、ロックが不用意に外れにくいレバー式コネクタを提供することを目的とする。
【課題を解決するための手段】
【０００９】
請求項１の発明は、一対のコネクタハウジングの一方のコネクタハウジングにレバーを回動自在能に設け、このレバーの回動操作により前記一対のコネクタハウジングを嵌合又は離脱させるレバー式コネクタにおいて、前記一方のコネクタハウジングにコネクタ嵌合方向に延びる可撓性のロックアームを設け、このロックアームの自由端側に、前記レバーの係止突起の後端部に後端側が引っ掛かるように係止される係止部と、該レバーの係止突起の後端部と該係止部の後端側との係止状態を解除する解除操作部とを設け、これら係止部と解除操作部とを隣接して配置し、前記ロックアームの係止部と前記レバーの係止突起の係止時に該レバーの下方に該ロックアームの解除操作部を位置させたことを特徴とする。
【００１０】
請求項２の発明は、請求項１記載のレバー式コネクタであって、前記係止部の後端側に、係止する方向に作用するように傾斜した係止斜面を形成し、かつ、前記係止突起の後端部に、係止する方向に作用するように傾斜した係止斜面を形成したことを特徴とする。
【００１１】
請求項３の発明は、請求項１記載のレバー式コネクタであって、前記ロックアームの固定端側に正面コ字状の連結ブリッジを設け、この正面コ字状の連結ブリッジの中央連結部の下面より前記ロックアームを側面Ｌ字状でかつ平面コ字状に延設し、この平面コ字状のロックアームの自由端側の中央に前記係止部を設けると共に、該係止部の両側に隣接させて前記解除操作部をそれぞれ設けたことを特徴とする。
【発明の効果】
【００１２】
以上説明したように、請求項１の発明によれば、一方のコネクタハウジングにコネクタ嵌合方向に延びる可撓性のロックアームを設け、このロックアームの自由端側に、レバーの係止突起の後端部に後端側が引っ掛かるように係止される係止部と、該レバーの係止突起の後端部と該係止部の後端側との係止状態を解除する解除操作部とを設け、これら係止部と解除操作部とを隣接して配置し、ロックアームの係止部とレバーの係止突起の係止時に該レバーの下方に該ロックアームの解除操作部を位置させたことにより、ロックアームの係止部とレバーの係止突起から構成されるロック部の簡素化及び小型化を図ることができる。また、ロックアームの解除操作部が外側に露出することがないため、ロックが不用意に外れることがなく、ロック保持性を高めることができる。
【００１３】
請求項２の発明によれば、係止部の後端側に係止する方向に作用するように傾斜した係止斜面を形成し、かつ、係止突起の後端部に係止する方向に作用するように傾斜した係止斜面を形成したことにより、一方のコネクタハウジングに電線の引っ張り力が加わった際に、係止突起の後端部の係止斜面とロックアームの係止部の後端の係止斜面とが互いに係止する方向に作用し、ロックアームの係止部とレバーの係止突起との係止がより外れにくくなり、これにより、ロック部の係止の外れを簡単かつ確実に防止することができる。
【００１４】
請求項３の発明によれば、ロックアームの固定端側に正面コ字状の連結ブリッジを設け、この正面コ字状の連結ブリッジの中央連結部の下面より前記ロックアームを側面Ｌ字状でかつ平面コ字状に延設し、この平面コ字状のロックアームの自由端側の中央に係止部を設けると共に、該係止部の両側に隣接させて解除操作部をそれぞれ設けたことにより、ロックアームの係止部とレバーの係止突起から構成されるロック部の簡素化及び小型化を図りつつ、レバーをロック解除方向に無理に回動操作させた時に、ロックアームの係止部とレバーの係止突起とのロック掛かりが大きくなり、ロックの外れをより確実に防止することができる。
【図面の簡単な説明】
【００１５】
【図１】本発明の一実施形態のレバー式コネクタの嵌合前の状態を示す斜視図である。
【図２】上記レバー式コネクタの一方のコネクタハウジングの要部の部分斜視図である。
【図３】上記レバー式コネクタの嵌合前の状態を示す断面図である。
【図４】（ａ）は上記レバー式コネクタの嵌合初期時のロック部の部分断面図、（ｂ）は同レバー式コネクタの嵌合途中のロック部の部分断面図である。
【図５】（ａ）は上記レバー式コネクタの嵌合初期時のロック部の部分斜視図、（ｂ）は同レバー式コネクタの嵌合状態のロック部の部分斜視図である。
【図６】上記レバー式コネクタの嵌合状態を示す断面図である。
【図７】上記レバー式コネクタの嵌合状態を示す平面図である。
【図８】従来のレバー式コネクタの嵌合前の状態を示す斜視図である。
【図９】上記従来のレバー式コネクタの嵌合状態を示す斜視図である。
【図１０】（ａ）は従来のレバー式コネクタの嵌合前の状態を示す断面図、（ｂ）は同レバー式コネクタの嵌合状態を示す断面図である。
【発明を実施するための形態】
【００１６】
以下、本発明の一実施形態を図面に基づいて説明する。
【００１７】
図１は本発明の一実施形態のレバー式コネクタの嵌合前の状態を示す斜視図、図２は同レバー式コネクタの一方のコネクタハウジングの要部の部分斜視図、図３は同レバー式コネクタの嵌合前の状態を示す断面図、図４（ａ）は同レバー式コネクタの嵌合初期時のロック部の部分断面図、図４（ｂ）は同レバー式コネクタの嵌合途中のロック部の部分断面図、図５（ａ）は同レバー式コネクタの嵌合初期時のロック部の部分斜視図、図５（ｂ）は同レバー式コネクタの嵌合状態のロック部の部分斜視図、図６は同レバー式コネクタの嵌合状態を示す断面図、図７は同レバー式コネクタの嵌合状態を示す平面図である。
【００１８】
図１〜図３に示すように、レバー式コネクタ１０は、コネクタハウジング（一方コネクタハウジング）２１の複数の端子収容室２２に雌型端子（図示省略）をそれぞれ収容した雌型コネクタ２０と、コネクタハウジング（他方のコネクタハウジング）３１の複数の端子収容室に雄型端子（いずれも図示省略）をそれぞれ収容した雄型コネクタ３０と、雌型コネクタ２０のコネクタハウジング２１の両側部に突出した各支軸２３に回動自在に支持されたレバー４０とを備え、このレバー４０のカム溝４４に雄型コネクタ３０のフード部３３の側壁の内面に突出したカムピン（図示省略）を係合させて、レバー４０を回動操作することにより、雄型コネクタ３０のコネクタハウジング３１のフード部３３と雌型コネクタ２０のコネクタハウジング２１とを嵌合又は離脱させるものである。
【００１９】
図１〜図３に示すように、雌型コネクタ２０のコネクタハウジング２１は、絶縁性の合成樹脂等によりブロック状に形成されており、前面２１ａから後面２１ｂにかけて雌型端子を収容する複数の端子収容室２２を形成してある。また、コネクタハウジング２１の両側面２１ｃ，２１ｃの中央の後側には、レバー４０を回動自在に支持する支軸２３をそれぞれ一体突出形成してある。さらに、コネクタハウジング２１の両側面２１ｃ，２１ｃの前側の上下端には、雄型コネクタ３０のガイド溝部３４に挿入される各一対のスライド突起２４ａ，２４ｂを一体突出形成してある。さらに、コネクタハウジング２１の一方の側面２１ｃの後側の下端には、レバー４０の回動を規制するストッパ２４ｃを一体突出形成してある。
【００２０】
また、図１〜図３に示すように、コネクタハウジング２１の上面２１ｄの中央には、一対の側板部２５ａ，２５ａと中央連結部２５ｂとから成る正面コ字状の連結ブリッジ２５を一体突出形成してある。この正面コ字状の連結ブリッジ２５の中央連結部２５ｂの下面２５ｃには、後方（コネクタ離脱方向）に延びる可撓性のロックアーム２６を一体突出形成してある。詳述すると、ロックアーム２６は、固定端２６ａから側面Ｌ字状に延びた一対のアーム部２６ｂ，２６ｂを有しており、この一対のアーム部２６ｂ，２６ｂの自由端２６ｃ側は連結されて平面コ字状に形成してある。この平面コ字状のロックアーム２６の自由端２６ｃの中央がレバー４０の係止突起４７を係止する係止部２７になっていると共に、係止部２７の両側がロックアーム２６とレバー４０の係止状態（ロック）を解除する解除操作部２８になっている。
【００２１】
図２に示すように、係止部２７とその両側の一対の解除操作部２８，２８は隣接されてそれぞれ配置されている。係止部２７は、前側の案内斜面２７ａと後側の係止斜面２７ｂと底面２７ｃを有した三角柱状に形成されており、その後端２７ｄ（案内斜面２７ａと係止斜面２７ｂとの境の角部）側にレバー４０の係止突起４７の後端部４９が引っ掛かるようになっている。また、係止斜面２７ｂは、レバー４０の係止突起４７の後端部４９側に対してより係止する方向に作用するように傾斜している。さらに、解除操作部２８の操作面２８ａは滑り止め用の波目状に形成されている。さらに、図５（ｂ）及び図６に示すように、解除操作部２８は、ロックアーム２６の係止部２７とレバー４０の係止突起４７の係止（ロック）時に係止突起４７のアーム部４７ａの下方に位置するようになっている。
【００２２】
図１及び図３に示すように、雄型コネクタ３０のコネクタハウジング３１は、絶縁性の合成樹脂等から形成されており、その後側に図示しない複数の端子収容室を形成したブロック状の端子収容部３２と、前側に四角筒状のフード部３３とを備えている。フード部３３の両側壁３３ａ，３３ａの各内面には、レバー４０のカム溝４４に係合される図示しないカムピンを一体突出形成してある。また、フード部３３の両側壁３３ａ，３３ａの各内面の上下側には、雌型コネクタ２０のスライド突起２４ａ，２４ｂが挿入されるガイド溝部３４をそれぞれ形成してある。さらに、図３〜図７に示すように、フード部３３の上壁３３ｂの前側には、段差状に上方に突出したサブフード部３５を有しており、このサブフード部３５内に、雌型コネクタ２０のロックアーム２６とレバー４０の係止突起４７から構成されるロック部Ａが収容されるようになっている。
【００２３】
図１に示すように、レバー４０は、絶縁性の合成樹脂等から形成されており、左右一対の側板部４１，４１と、この一対の側板部４１，４１を連結する連結アーム部４２とで略コ字に形成してある。各側板部４１には、雌型コネクタ２０の支軸２３が挿入される軸孔４３と、雄型コネクタ３０のカムピンと係合するカム溝４４をそれぞれ形成してある。
【００２４】
また、連結アーム部４２の両側には、レバー４０を回動操作する一対の操作部４６，４６を設けてある。そして、連結アーム部４２の中央の前側には、側面Ｌ字状で可撓性の係止突起４７を一体突出形成してある。この係止突起４７の先端部４８は鈎状になっている。この鈎状の先端部４８の下面は、図４（ｂ）及び図５（ａ），（ｂ）に示すように、その中央が突出する突出部４８ａと該突出部４８ａの両側の低部４８ｂで段差状に形成されている。また、係止突起４７の鈎状の先端部４８は、ロックアーム２６の一対のアーム部２６ｂ，２６ｂと自由端２６ｃとで形成される空間内に挿入される大きさに形成してあり、鈎状の先端部４８の下面中央の突出部４８ａがロックアーム２６の自由端２６ｃの係止部２７に相対向するように位置していると共に、鈎状の先端部４８の下面両側の一対の低部４８ｂ，４８ｂがロックアーム２６の自由端２６ｃの左右一対の解除操作部２８，２８に相対向するように位置している。さらに、鈎状の先端部４８の後端部４９には、ロックアーム２６の係止部２７に対してより係止する方向に作用するように傾斜した係止斜面４９ａが形成されている。
【００２５】
以上実施形態のレバー式コネクタ１０によれば、雌型コネクタ２０と雄型コネクタ３０を嵌合させるには、まず、雄型コネクタ３０のコネクタハウジング３１のカムピンにレバー４０のカム溝４４を係合させる（この状態を図３に示す）。次に、レバー４０の操作部４６を押して、図４（ａ），（ｂ）中矢印Ｂで示す方向にレバー４０を回動させると、図４（ｂ）及び図５（ａ）に示すように、レバー４０の係止突起４７の鈎状の先端部４８の下面中央の突出部４８ａが、ロックアーム２６の係止部２７の前側の案内斜面２７ａを押圧、摺動してロックアーム２６の自由端２６ｃ側を下方に撓ませる。この際、係止突起４７の鈎状の先端部４８の下面中央の突出部４８ａが当たるロックアーム２６の係止部２７の案内斜面２７ａは緩い傾斜面になっていため、係止突起４７を内部にスムーズに挿入することができる。また、鈎状の先端部４８の下面中央の突出部４８ａの両側の低部４８ｂの位置にロックアーム２６の係止部２７の両側の解除操作部２８が位置しているため、解除操作部２８との干渉を避けて、鈎状の先端部４８の下面中央の突出部４８ａでロックアーム２６の自由端２６ｃ側を下方に確実に撓ませることができる。
【００２６】
そして、レバー４０の操作部４６を更に押圧操作して、レバー４０を更に回動させると、テコの原理により低挿入力で雄型コネクタ３０が雌型コネクタ２０側に引き込まれて、図６に示すように、雌型コネクタ２０のコネクタハウジング２１と雄型コネクタ３０のフード部３３とが嵌合する。この嵌合状態は、図５（ｂ）及び図６に示すように、雄型コネクタ３０のサブフード部３５内に収容された雌型コネクタ２０のロックアーム２６の係止部２７とレバー４０の係止突起４７との係止によりロックされる。この際、レバー４０の係止突起４７の鈎状の先端部４８は、ロックアーム２６の一対のアーム部２６ｂ，２６ｂと自由端２６ｃとで形成される空間内に挿入され、かつ、係止突起４７の鈎状の先端部４８の後端部４９にロックアーム２６の係止部２７の後端２７ｄが引っ掛かるように係止されるため、係止突起４７とロックアーム２６の係止部２７のロック状態が確実に保持され、ロックは外れにくい。
【００２７】
また、図２に示すように、レバー４０の係止突起４７の後端部４９に係止されるロックアーム２６の係止部２７の両側に解除操作部２８をそれぞれ配置し、これら係止部２７と解除操作部２８とを隣接させてロックアーム２６の自由端２６ｃ側に配置し、また、図６に示すように、両コネクタ２０，３０の嵌合時に、ロックアーム２６の係止部２７とレバー４０の係止突起４７から構成されるロック部Ａを雄型コネクタののサブフード部３５内に収容できるようにしたので、ロック部Ａの簡素化及び小型化をより一段と図ることができ、ロックが外れにくい構造とすることができる。
【００２８】
また、雄型コネクタ３０に複数の雄型端子に接続された電線の引っ張り力（図６に矢印Ｂで示す離脱方向の力）が加わっても、係止突起４７の鈎状の先端部４８の後端部４９にロックアーム２６の係止部２７の後端２７ｄが引っ掛かって係止される構造であるため、さらには、係止突起４７の後端部４９に、より係止する方向に作用するように傾斜した係止斜面４９ａを形成すると共に、ロックアーム２６の係止部２７の後端２７ｄ側に、より係止する方向に作用するように傾斜した係止斜面２７ｂを形成したことで、係止突起４７の後端部４９の係止斜面４９ａとロックアーム２６の係止部２７の後端２７ｄの係止斜面２７ｂとが互いに係止する方向に作用し、ロックアーム２６の係止部２７とレバー４０の係止突起４７との係止（ロック）がより一段と外れにくくなり、これにより、ロック部Ａのロックの外れを簡単かつ確実に防止することができる。
【００２９】
さらに、図５（ｂ）及び図６に示すように、解除操作部２８は、ロックアーム２６の係止部２７とレバー４０の係止突起４７の係止時に係止突起４７のアーム部４７ａの下方に位置するように設けたことにより、従来のように、解除操作部２８が外側に露出することがなく、解除操作部２８が不用意に操作されてロックが解除されることがない。このように、ロックが不用意に外れることがないため、ロック部Ａのロック保持性をより一段と高めることができる。
【００３０】
さらに、ロックアーム２６の固定端２６ａを正面コ字状の連結ブリッジ２５の中央連結部２５ｂの下面２５ｃ側に配置したことにより、即ち、連結ブリッジ２５をロックアーム２６の可撓方向（自由端２６ｃ）の反対側に設けたことにより、レバー４０の操作部４６をロック解除方向（図６に矢印Ｃで示す方向）に無理に引いても、ロックアーム２６の係止部２７とレバー４０の係止突起４７とのロック掛かりが大きくなり、ロックの外れを確実に防止することができる。
【００３１】
また、両コネクタ２０，３０の嵌合状態を解除（離脱）するには、ロックアーム２６の係止部２７の両側に設けられた解除操作部２８を下方（図５（ｂ）に矢印Ｄで示す方向）に押圧操作することで、ロックアーム２６の係止部２７とレバー４０の係止突起４７の係止状態を解除し、その後、レバー４０の操作部４６を図４（ａ），（ｂ）で示す矢印Ｂとは逆の方向に押圧して回動させることにより、低挿入力で雌型コネクタ２０のコネクタハウジング２１と雄型コネクタ３０のフード部３３とを離脱させることができる。
【００３２】
尚、前記実施形態によれば、雌型コネクタのコネクタハウジング側にカム溝を有したレバーを設けたが、雄型コネクタのコネクタハウジング側にレバーを設け、雌型コネクタのコネクタハウジング側にカムピンを設けても良い。
【符号の説明】
【００３３】
１０  レバー式コネクタ
２１  一方のコネクタハウジング
２５  連結ブリッジ
２５ｂ  中央連結部
２５ｃ  下面
２６  ロックアーム
２６ａ  固定端
２６ｃ  自由端
２７  係止部
２７ｂ  係止斜面
２７ｄ  後端
２８  解除操作部
３１  他方のコネクタハウジング
４０  レバー
４７  係止突起
４９  後端部
４９ａ  係止斜面
Ａ  ロック部
【図１】
2016110735.tif 000003
【図２】
2016110735.tif 000004
【図３】
2016110735.tif 000005
【図４】
2016110735.tif 000006
【図５】
2016110735.tif 000007
【図６】
2016110735.tif 000008
【図７】
2016110735.tif 000009
【図８】
2016110735.tif 000010
【図９】
2016110735.tif 000011
【図１０】
2016110735.tif 000012